(57)【要約】【課題】  日本周辺には地殻変動の激しい海底プレートがある。プレートは物理化学的に変化する特性がある。地球圏に入射する紫外線帯域の電磁波が低周波変調してプレートに亀裂や歪みを発生させる。これが地震の要因になる。立体万華鏡で入射する紫外線量のピーク値を観測し、プレート中の残留磁気エネルギーとの共振増幅を縮小する。残留磁気エネルギーは高透磁率金属板で極小化させる。【解決手段】  最強のハードとノウハウ、フレッシュな頭脳を活用する。基礎的装備のある深海探査船ちきゅう、宇宙衛星とＪＡＸＡデータ、諸官庁や地域の海洋に詳しい水産業界のデータ開示と活用。そして、新たなコンソーシアム編成を実現し、マイナンバー制度の活用で適材選択１億総動員により難問題の解決に道が開ける。【選択図】図３
2017072572.tif 000002
【特許請求の範囲】
【請求項１】
震源の深さ７０Ｋｍ以下で発生する地震を歳差・章動データの解析に基づいて予知する方法。
【請求項２】
太陽と月、及び、惑星（水星・金星・火星）から太陽の反射電磁波による地球圏に入射する紫外線量の極大値・最大値を立体万華鏡で観測・解析して地震予知の精度を高めることを特長とする方法。
【請求項３】
地震規模（マグニチュード）を小さくするため、透磁率の高い金属板をプレート内部に挿入する。或いは、プレート上部に施設して内部の残留磁気が渦共振して増幅するメカニズムを制止させることを特長とする方法。
【請求項４】
プレート上部に施設する高透磁率金属板は、鉄系リサイクル廃材の材質と厚さが１ｃｍ程度で畳サイズ形状の簡易さを特長とする機構品。
【発明の詳細な説明】
【技術分野】
【０００１】  地球のプレート層は、入射する電磁波に物理化学反応を示す元素類から成る岩石（凝結体）である。岩石は強度限界を超えて亀裂・破壊すると断層にずれが生じる。これらの地震動に関する予知とその規模（マグニチュード）を小さくする方法に関すること。及び、専門機関や特定部署に蓄積された莫大なデータの取捨選択やマクロ・ミクロ運動が相関する物理化学現象の解析に関する。
【背景技術】
【０００２】  プレートから採取した鉱物の物理的性質には、色調、光沢、複屈折、硬度、比重、展性、延性、磁性、焦電性、圧電性がある。構成元素や結晶構造で性質が決まる。紫外線の照射を受けると原子のエネルギーレベルが励起状態になり蛍光を発するものもある。【０００３】  地震発生のメカニズムは電磁気エネルギーを一次側から二次側に変換する電源トランスと同様である。電源トランスはＥＩ鉄心を積層、磁束密度を適正にとり１次側に巻線して電磁エネルギーをつくる。そして、２次側に巻線して目的負荷に必要な電圧・電流に合わせて設計製作する。１次側と２次側は絶縁物を使って絶縁し、電磁エネルギーを変換する原理である。１次側にＡＣ１００Ｖを投入すると過渡現象が発生してＬ値（インダクタンス）が大きくなり、２次側の電圧が異常に高くなる。そして、鉄損・発熱が大きくなる。その過渡現象を抑制するには透磁率の高いＥＩ鉄心（コバルト材質）を１組挿入するとＬ値の極大化が抑えられる。以上のイメージを参考図ａ、ｂ、ｃ、ｄ、ｅに示す。【０００４】  参考図ａはプレートをＬＣＲの電気回路で表わした図である。地球構造の表層部は約７０Ｋｍであり地殻と呼ばれている。その岩石は花崗岩と玄武岩から成る。物理化学的な性質があり紫外線の変調した低周波帯で電磁気反応を示す。また、地球圏に入射する電磁波は温暖化によるオゾン層の縮小から紫外線帯域の線量増大がある。【０００５】  参考図ｂは地震発生に直結するＬ値（インダクタンス）の複合連結を表わした図である。共振現象で地震規模（マグニチュード）を巨大化する源になる。【０００６】  参考図ｃは電源トランスの１次側と２次側の巻線を示した図である。そして、Ｌ値の極大化による高電圧発生の過渡現象を抑制するため高透磁率金属板（例、Ｃｏコバルト金属板）の挿入を描いた。【０００７】  参考図ｄは磁性体のヒステリシス曲線図である。プレート内部の残留磁気はこの図に示した第二象限と第三象限に相当する。【０００８】  参考図ｅは電源トランスにおける過渡現象を例示した。入力電源投入時に二次側で計測するとＬ１ｍａｘ値がピークを示し、無負荷電圧Ｖ１ｍａｘ値は最高値を示す。その過渡現象の発生を抑制した時はＬ２、Ｖ２に落ち着く。
参考図ａ
2017072572.tif 000003
参考図ｂ
2017072572.tif 000004
参考図ｃ
2017072572.tif 000005
＊Ｃｏ−Ｐは透磁率の高いコバルト金属板の挿入を示す。
参考図ｄ
2017072572.tif 000006
参考図ｅ
2017072572.tif 000007
【非特許文献】
【非特許文献１】
【０００９】＜参考データ１＞
2017072572.tif 000008
2017072572.tif 000009
＜参考データ２＞（参考データ２，３，４，５の出典：Ｗｅｂより、加筆）
2017072572.tif 000010
＜参考データ３＞
2017072572.tif 000011
2017072572.tif 000012
＜参考データ４＞
2017072572.tif 000013
＜参考データ５＞
2017072572.tif 000014
2017072572.tif 000015
【００１０】  マグニチュード１クラスの地震は毎日起きている。マグニチュード３以上の地震発生の予知方法は＜参考データ１＞で示した地球自転に歳差・章動を算定した分点差のフリーズ状態（一定した数値）を捉えて電磁気エネルギーの共振と極大化を推考する。見方は、日付０３０９−０３１３の間の分点差は１．０７７ｓで一定。日付０３１４−０３１５での分点差は１．０８３ｓ一定。日付０３２２−０３２４での分点差は１．０４６ｓ一定。日付０３２６−０３２９も同様に読み取る。３．１１近辺では予兆地震は数回あった。発生日当日午前１０時３０分に巨大な地震雲の発生があった。余震も頻発した。この予知方法によると４年間にわたり的中する確率は７０％以上である。【００１１】  薄い膜状のオゾン層の現況は、フロンとの反応によりかなり減少している。それにより有害紫外線の入射線量は増大している。地震予知の精度を高めるには気象状態を捉える事が必要である。大気圏が晴天で冷温であるとプレートに入射する紫外線電磁波はノイズが少ないものとなる。それが地震発生メカニズムの原理である。【００１２】  参考データ３と５は惑星の位置を示した図である。それらは宇宙空間中で同一面上に位置してはいない。立体空間場の偏芯回転移動体として捉える。そして、太陽、月・水星・金星・火星の反射による地球圏への入射電磁波の極大値を観測・解析して共振エネルギーの極大値とその震源位置を特定する。それにより地震予知精度の向上方法を講じることが出来る。これには立体万華鏡を製作する。そして、太陽の直接光と反射光が地球圏に入射する最大値・極大値を観測する方法を用いる。【００１３】  立体万華鏡について記す。宇宙に存在するものは全て動いている。それらの位置・サイズ・距離を正確に縮小させた空間室（これを立体相似形と仮称する）をつくる。太陽を光源として惑星と月からの反射光と太陽光が地球圏に入射する光量の変化を観測する。観測対象は紫外線帯域の電磁波である。その極大値の年月日時刻を解析する。そして、プレート内部で低周波に変調されて地震エネルギーと共振する。その原因で亀裂・歪み・ずれ・滑りを引き起こして巨大地震が発生することを捉える。【００１４】  地震の規模を縮小させる方法は、入射紫外線が変調されてプレート内部で電磁気エネルギーの増幅作用により過渡現象を起こす。それを小さく抑えるには透磁率の高い金属材料でＬ値の極大化を防げばよい。地底・海底のプレート地図は国土交通省で作成されている。海底地図は海上保安庁日本海洋データセンターで作成管理されている。これには、宇宙衛星で観測された地殻変動も入っている。それらを基礎データとして、入射電磁波の海底の溝や傾斜での反射・渦回転からＬ値の増幅による過渡現象の発生、それとの共振現象で地震エネルギーが巨大化する。震源の近郊域や広域に発生する余震の予知精度が向上する。
【発明の概要】
【発明が解決しようとする課題】
【００１５】  地震予知は天地の相関する電磁気物理化学現象を捉えて行う。例えば、３．１１東日本大地震発生日に笠間市窯業指導所に向かう途中の午前１０時３０分、北東の上空に地震雲の発生を確認した。そして、午後２時４６分に大地震が起きた。その３日前、１週間前に予兆を示す地震があった。別の日に起きた「雷と地震の自然界での現象」で、急に上空が暗転、雷鳴が轟き、急接近してくる状況で突然マグニチュード４級（震源  茨城県南部）の地震が発生する。即時に雷鳴発生が止まる。暗転豪雨は続くが、それ以降は雷がピタリと止んだ。フレミング左手の法則に一致する電磁気現象の顕著な事例である。【００１６】  地震は地球全域にわたり止めることはできないが、規模（マグニチュード）の縮小は可能である。地球圏に入射する紫外線帯域の電磁波は、プレート海溝の傾斜面での反射の繰り返しで低周波に変調する。そして、プレート内部の残留磁気と共振現象を起こしてプレートに亀裂・歪が生じて地震が発生する。この現象を止めるには、透磁率の高い金属板をプレート内部に挿入する。或いは、プレート上部に施設する。
【課題を解決するための手段】
【００１７】  地球圏に存在するものや太陽、月、惑星は全て動いている。それらには相関する性質があり関係している。物理量であり従来の関数式ではそれらの関係する精度は得られない。座標系の解析方法では、静止する原点は存在しないからである。全変数の数理物理化学変化する関数軌道方程式の発明が必要である。現在、それが無いので同一時刻にアナログで位置を確定して、相関する歳差・章動から地震発生の予知精度の向上を行う。【００１８】  太陽、月、惑星、地球の位置を再現して歳差・章動のマクロ相関を観測する。そして、地球圏への紫外線帯域の入射紫外線量を観測する。立体万華鏡に太陽・月・水星・金星・地球・火星を高精度に位置させて太陽と反射光の地球圏への入射量の繊細な変化を観測する。その極大値と最大値を観測記録する。【００１９】  プレート内部の残留磁気量とＬ値が危険予測される広域で計測する。Ｌ値の大きい場所で地球圏に入射する紫外線電磁波の変調波が共振して震源になる。【００２０】  震源の予測地とその近郊域のプレートに高透磁率の金属板を挿入する。これにより地震の規模（マグニチュード）は小さくすることが出来る。【００２１】  地球の内部構造では、地殻の下部はマントルで、その深さは２，９００Ｋｍ、圧力・温度・水分含有量から部分溶融してマグマが生成されている。地球深部探査船ちきゅうが調査にあたっている。マントルの下部は外核・内核である。今年２０１５年５月３０日にマグニチュード８．５の地震があった。震源は小笠原諸島西方沖  深さ５９０Ｋｍ。地球深部の発熱影響が原因でプレートが歪み破断したと推考される。
【発明の効果】
【００２２】  自然界の動態と変化するメカニズムが明らかになる。これにより、自然界と謙虚に向き合うことが出来る。日本発で地球環境の国連政策事業として内外に波及が可能になる。マクロとミクロが相関する地球科学の基礎確立に向かって進むことが出来る。
【図面の簡単な説明】
【００２３】
【図１】と
【図２】歳差・章動について著わした簡易図。用語説明を兼ねて記す。１黄道（こうどう）太陽の見かけの通り道、黄道は天の赤道に対して２３．４度  傾いている。（黄道傾斜角）  ２白道（はくどう）月の通り道  ３分点（ぶんてん）黄道は天の赤道と二点で交わる。それを言う。二点は春分点と秋分点である。（黄道が南から北へ交わる点が春分点）４黄経（こうけい）春分点を起点（０度）として黄道を３６０度に分けたもの。春分点から黄経９０度の位置が夏至点、１８０度の位置が秋分点、２７０度が冬至点である。５二十四節気  ３６０度の黄道を１５度ごとの２４分割したもの。６前記１〜５を成す宇宙形を天球という。天の北極を天頂、天の南極を天底という。歳差・章動において、国際天文基準座標系や国際天文学連合では基準・用語が変化している。
【００２４】
【図３】日本列島近海の海溝やトラフの位置を示した地図。詳細な海底図を観ると３．１１の震源地周辺は地震発生の多発が懸念される海底地形である。
【００２５】
【図４】プレート上部に施設する高透磁率の鉄板図。施設する鉄板の材質は汎用の鉄鋼材（端材、リサイクル鉄材）、サイズは１ｃｍ程度の厚みで畳サイズ。透磁率はＢ＝μＨ（μ初透磁率）で定義されている。
【発明を実施するための形態】
【００２６】  立体万華鏡で太陽・惑星・月から地球圏に入射する紫外線帯域の電磁波量のピーク日時を分点差で特定する。
【００２７】  異種プレートとの境界領域を重点にして、海底プレート内部のＬ値（インダクタンス）を広域で測定する。大きな残留磁気エネルギー領域を特定する。そして、高透磁率の金属板をプレート上に順次施設する。
【００２８】  共振する磁気エネルギーを小さくして巨大地震の発生を防ぐ。
【実施例】
【００２９】  地殻の岩石成分との電磁気反応から、高透磁率金属板は市場で使われている鉄鋼材でよい。形状サイズは厚みが１ｃｍ、畳サイズ、取り扱いが容易であればよい。汎用鉄鋼材の端材やリサイクル鋼材の再加工品でよい。
【産業上の利用可能性】
【００３０】  新規産業として内外広域の環境政策事業が短期間に育成が可能である。
【符号の説明】
【００３１】  図１▲１▼黄道  ▲２▼真赤道  ▲３▼平均赤道  ▲４▼黄経における章動  Δφ  ▲５▼真春分点  ▲６▼黄道傾斜における章動  ε＋Δε  ▲７▼平均春分点  ▲８▼黄道傾斜角  ε
図２▲９▼天頂（天の北極）  ▲１０▼天底（天の南極）  ▲１１▼冬至点（黄経２７０度）  ▲１２▼夏至点（黄経９０度）  ▲１３▼地球  ▲１４▼秋分点（黄経１８０度）  ▲１５▼春分点（黄経０度）  ▲１６▼黄道  ▲１７▼天の赤道  ▲１８▼黄道傾斜角  ▲１９▼天球
図３▲２０▼南西諸島海溝  ▲２１▼沖縄トラフ  ▲２２▼奄美海台  ▲２３▼九州・パラオ海嶺  ▲２４▼南海トラフ  ▲２５▼相模トラフ  ▲２６▼日本海溝  ▲２７▼千島・カムチャッカ海溝  ▲２８▼日本海盆  ▲２９▼富山深海長谷
図４▲３０▼高透磁率の金属板
【図１】
2017072572.tif 000016
【図２】
2017072572.tif 000017
【図３】
2017072572.tif 000018
【図４】
2017072572.tif 000019